(57)【要約】補助者の胴体の前面上において乳幼児を支えるための乳幼児補助具。乳幼児補助具は、補助者の胴体の背面と乳幼児の胴体の背面にわたって伸びる伸張性ソフトボディを含む。乳幼児補助具は、また、補助者の胴体の前面上に前記乳幼児を支えるために重ねて固定する留め具端を含む。乳幼児補助具は、補助者の胴体の背面に向けて乳幼児の胴体の背面を引き寄せるための弾力性を生成するために伸縮するように構成され得る。【選択図】図２４
2016507014.tif 000002
【特許請求の範囲】
【請求項１】
補助者の胴体の前面上において乳幼児を支えるために使用する乳幼児補助具であって、
伸張性ソフトボディと、
前記補助者の胴体の前面上に前記乳幼児を固定するために、前記伸張性ソフトボディを一体的につなぐ調整可能な留め具機構とを備え、
前記伸張性ソフトボディは、使用するときには、前記補助者の胴体の背面の一部の周囲と前記乳幼児の胴体の背面の一部の周囲を囲むように伸び、
前記調整可能な留め具機構は、前記乳幼児補助具を固定したときに、前記調整可能な留め具機構の各位置が、異なる周囲の長さを提供することで、複数の位置で調節可能に固定されるように構成されており、
前記伸張性ソフトボディの少なくとも一部は、前記補助者の胴体の背面方向に向けて前記乳幼児の胴体の背面を引き寄せるための弾力性を生成するために伸縮するように構成される、
乳幼児補助具。
【請求項２】
前記伸張性ソフトボディの少なくとも一部の全体の高さは、前記弾力性を前記伸張性ソフトボディの前記少なくとも一部の前記全体の高さに沿って分配するように縦方向に伸縮するように構成される、
請求項１に記載の乳幼児補助具。
【請求項３】
前記伸張性ソフトボディは、４方向に伸縮するように構成される、
請求項１に記載の乳幼児補助具。
【請求項４】
前記伸張性ソフトボディは、前記補助者の胴体の背面方向に向けて前記乳幼児の胴体の背面を引き寄せるために、縦方向に伸縮するように構成される、
請求項１に記載の乳幼児補助具。
【請求項５】
前記伸張性ソフトボディは、縦方向と横方向に伸縮するように構成される、
請求項１に記載の乳幼児補助具。
【請求項６】
前記調整可能な留め具機構は、前記伸張性ソフトボディの第１端部および第２端部に付けられている、
請求項１に記載の乳幼児補助具。
【請求項７】
使用するときには、前記乳幼児補助具は、前記乳幼児の肌が前記補助者の肌に直に触れ合うように、前記乳幼児を前記補助者の胴体の前面上に位置付ける、
請求項１に記載の乳幼児補助具。
【請求項８】
前記調整可能な留め具機構は、前記伸張性ソフトボディの第１端部に付けられた第１留め具と前記伸張性ソフトボディの第２端部に付けられた第２留め具とを備え、
前記第１留め具は、前記第２留め具に調整可能に対になる、
請求項１に記載の乳幼児補助具。
【請求項９】
補助者の胴体の前面上において乳幼児を支えるための乳幼児補助具であって、
第１端部と第２端部を有する伸張性ソフトボディと、
前記伸張性ソフトボディの前記第１端部に一体的につながれた第１留め具端と、
前記伸張性ソフトボディの前記第２端部に一体的につながれた第２留め具端とを備え、
使用するときには、前記伸張性ソフトボディは前記補助者の胴体の背面に伸び、前記第１端部は前記補助者の腕の下および胴体の側面にわたって伸び、前記第２端部は、前記補助者の他方の腕の下および他方の胴体の側面にわたって伸び、
前記第１留め具端は、第１留め具機構を有し、使用するときには、前記第１留め具端は前記乳幼児の胴体の背面にわたって伸び、
前記第２留め具端は、前記第１留め具端の前記第１留め具機構と対になるように構成された第２留め具機構を有し、使用するときには、前記第２留め具端は、前記補助者の胴体の前面上において前記乳幼児を支えるために前記第２留め具機構が前記第１留め具機構に付くよう、前記第１留め具端と重なり、
前記伸張性ソフトボディの少なくとも一部は、前記補助者の胴体の背面方向に向けて前記乳幼児の胴体の背面を引き寄せるための弾力性を生成するために伸縮するように構成される、
乳幼児補助具。
【請求項１０】
前記伸張性ソフトボディが長方形である場合、前記第１留め具端は半楕円形であり、前記第２留め具端は半楕円形であり、前記伸張性ソフトボディの第１端部は、第１留め具端の長径に大きさが比例して一体的につながり、前記伸張性ソフトボディの第２端部は、第２留め具端の長径に大きさが比例して一体的につながる、
請求項９に記載の乳幼児補助具。
【請求項１１】
前記第２留め具機構は、前記乳幼児補助具を固定するために前記第２留め具端を前記第１留め具端に重ねたときに、各位置で前記乳幼児補助具にさまざまな周囲の長さを提供するように、複数の位置で前記第１留め具機構に調節可能に対になるように構成される、
請求項９に記載の乳幼児補助具。
【請求項１２】
前記第１留め具端および前記第２留め具端は、先が次第に細くなる、
請求項９に記載の乳幼児補助具。
【請求項１３】
前記第１留め具機構および前記第２留め具機構は、布製面ファスナーを備える、
請求項９に記載の乳幼児補助具。
【請求項１４】
前記第２留め具機構は、前記乳幼児補助具の長手方向の軸に平行な布製面ファスナーのループの１つまたは複数のストリップを備え、前記第１留め具機構は、前記乳幼児補助具の長手方向の軸に垂直な布製面ファスナーのフックの１つまたは複数のストリップを備える、
請求項１３に記載の乳幼児補助具。
【請求項１５】
前記第２留め具機構は、前記乳幼児補助具の長手方向の軸に平行な布製面ファスナーのフックの１つまたは複数のストりプを備え、前記第１留め具機構は、前記乳幼児補助具の長手方向の軸に垂直な布製面ファスナーのループの１つまたは複数のストリップを備える、
請求項１３に記載の乳幼児補助具。
【請求項１６】
前記伸張性ソフトボディは、伸縮性布を備える、
請求項９に記載の乳幼児補助具。
【請求項１７】
前記伸縮性布は、４方向への伸縮布である、
請求項１６に記載の乳幼児補助具。
【請求項１８】
前記乳幼児補助具は周囲を縫い合わせた伸縮性布の第１片および第２片を備え、前記伸張性ソフトボディは表面と裏面を有し、前記第１留め具端は表面と裏面を有し、前記第２留め具端は表面と裏面を有し、前記伸縮性布の第１片は前記表面を提供し、前記伸縮性布の第２片は前記裏面を提供する、
請求項９に記載の乳幼児補助具。
【請求項１９】
前記乳幼児補助具は表面と裏面を有し、前記第２留め具機構は前記表面上にあり、前記第１調整可能な留め具機構は前記裏面上にある、
請求項９に記載の乳幼児補助具。
【請求項２０】
前記伸張性ソフトボディは、前記補助者の胴体の背面を支えるためのクッション材を備える、
請求項９に記載の乳幼児補助具。
【請求項２１】
前記第１調節可能な留め具機構または前記第２調整可能な留め具機構は、ボタンおよびボタン穴を備える、
請求項９に記載の乳幼児補助具。
【請求項２２】
前記第１調整可能な留め具機構および前記第２調整可能な留め具機構は、スナップボタンを備える、
請求項９に記載の乳幼児補助具。
【請求項２３】
前記第１調整可能な留め具機構および前記第２調整可能な留め具機構は、ホックおよびホック止めのを備える、
こ請求項９に記載の乳幼児補助具。
【請求項２４】
前記第１調整可能な留め具機構または前記第２調整可能な留め具機構は、弾性ループおよびタブを備える、
請求項９に記載の乳幼児補助具。
【請求項２５】
補助者の胴体の前面上において乳幼児を支えるための乳幼児補助具であって、
第１端部と第２端部を有する伸張性ソフトボディと、
前記伸張性ソフトボディの前記第１端部に一体的につながれた第１留め具端と、
前記伸張性ソフトボディの前記第２端部に一体的につながれた第２留め具端とを備え、
前記第１留め具端は、第１留め具機構を有し、
前記第２留め具端は、前記第１留め具端の前記第１調節可能な留め具機構と調節可能に対をなるように構成された第２留め具機構を有し、
使用するときには、前記乳幼児補助具は、前記補助者の胴体の背面にわたって、前記補助者の各腕の下、胴体の各側面にわたって、前記乳幼児の胴体の背面にわたって伸び、
前記乳幼児補助具は、前記補助者の胴体の前面上において前記乳幼児を支えるために、前記第２留め具機構が前記第１留め具機構に付くように重なり、
前記伸張性ソフトボディの少なくとも一部は、前記補助者の胴体の背面方向に向けて前記乳幼児の胴体の背面を引き寄せるための弾力性を生成するために伸縮するように構成される、
乳幼児補助具。
【請求項２６】
前記乳幼児補助具は前面と背面を有し、前記第２留め具機構は前記前面上にあり、前記第１調整可能な機構は前記背面上にある、
請求項２５に記載の乳幼児補助具。
【発明の詳細な説明】
【技術分野】
【０００１】
本明細書で記載する実施形態は、乳幼児補助具に関し、特に、休息している間に乳幼児を支える人が使用するための乳幼児補助具に関する。
【背景技術】
【０００２】
乳幼児は、人の心音、体温、人との接触、人にあやされることによって落ち着くため、人の胸部や胴体の前面で眠ることや休むことを心地よく感じているだろう。さらに、落ち着かせることは、乳幼児の哺乳量の増加や体温の維持など、発達や健康のためになり得る。しかし、もし人が寝入ったり他に気を取られるなどして乳幼児に綿密な注意を払えなければ、乳幼児は補助者の胴体から転がったり落ちたりして、傷を負うかもしれない。したがって、乳幼児を、人の胸部や胴体の前面で眠らせたり休ませたりするときには、乳幼児補助具の使用が必要となる。
【発明の概要】
【課題を解決するための手段】
【０００３】
第１の態様において、本明細書で記載する実施形態では、補助者の胴体の前面上において乳幼児を支えるために使用する乳幼児補助具を提供し得る。補助具は、伸張性ソフトボディを有し得、伸張性ソフトボディは、使用するときには、補助者の胴体の背面の一部の周囲と乳幼児の胴体の背面の一部の周囲を囲むように伸びる。補助具は、補助者の胴体の前面上に乳幼児を固定するために、伸張性ソフトボディを一体的につなぐ調整可能な留め具機構を有し得る。補助具の一部（例えば、伸張性ソフトボディ、側面、背面部、前面部）は、補助者の胴体の背面方向に向けて乳幼児の胴体の背面を引き寄せる弾力性を生成するために伸縮するように構成され得る。弾力性と調整可能な留め具機構が連動することで、寄り添って、固定され、心地よく乳幼児を支え得る。
【０００４】
いくつかの実施形態によると、補助具（例えば、伸張性ソフトボディ）の少なくとも一部の部分もしくは全体の高さは、伸張性ソフトボディの少なくとも一部の高さまたはその部分に沿って弾力性を分配するように縦方向に伸縮するように構成される。
【０００５】
いくつかの実施形態によると、補助具または伸張性ソフトボディは、４方向に伸縮するように構成される。これにより、乳幼児を包み、補助者が座ったとき、横たわったとき、または他の姿勢をとったときに、確実に寄り添った支えを提供し得る。
【０００６】
いくつかの実施形態によると、補助具または伸張性ソフトボディは、補助者の胴体の背面方向に向けて乳幼児の胴体の背面を引き寄せるために、縦方向に伸縮するように構成される。
【０００７】
いくつかの実施形態によると、補助具または伸張性ソフトボディは、縦方向と横方向に伸縮するように構成される。
【０００８】
いくつかの実施形態によると、補助具または調整可能な留め具機構は、伸張性ソフトボディの第１端部および第２端部に付けられている。補助具は、補助者と乳幼児の胴体周りを包み、調整可能な留め具機構により固定され得る。
【０００９】
いくつかの実施形態によると、乳幼児補助具を使用するときには、乳幼児の肌が直接補助者の肌に触れるように、乳幼児は補助者の胴体の前面上に位置する。
【００１０】
いくつかの実施形態によると、調整可能な留め具機構は、伸張性ソフトボディの第１端部に付けられた第１留め具と伸張性ソフトボディの第２端部に付けられた第２留め具とを備え、第１留め具は、第２留め具に調整可能に対になっている。
【００１１】
いくつかの実施形態によると、調整可能な留め具機構は、乳幼児補助具を留め具機構で固定したときに、調整可能な留め具の各位置が、乳幼児睡眠補助具にさまざまな周囲の長さを提供するように、複数の位置で調整可能に固定されるように構成され得る。
【００１２】
いくつかの実施形態によると、調整可能な留め具機構は、乳幼児補助具の端部に構成され得る。
【００１３】
いくつかの実施形態によると、補助具は表面と裏面を有しており、調整可能な留め具機構は、表面に第２留め具機構、裏面に第１留め具機構を含む。
【００１４】
他の態様において、本明細書で記載する実施形態では、補助者の胴体の前面上において乳幼児を支えるための乳幼児補助具を提供する。補助具は、第１端部と第２端部を有する伸張性ソフトボディを有し得、使用するときには、伸張性ソフトボディは補助者の胴体の背面にわたって伸び、第１端部は補助者の腕の下および胴体の側面にわたって伸び、第２端部は補助者の他方の腕の下および他方の胴体の側面にわたって伸びる。第１留め具端は伸張性ソフトボディの第１端部に一体的につながれ得、第１留め具端は第１留め具機構を有している。使用するときには、第１留め具端は乳幼児の胴体の背面にわたって伸びる。第２留め具端は伸張性ソフトボディの第２端部に一体的につながれ得、第２留め具端は、第１留め具端の第１留め具機構と対をなすように構成された第２留め具機構を有している。使用するときには、第２留め具端は、補助者の胴体の前面上において乳幼児を支えるために、第２留め具機構が第１留め具機構に付くよう、第１留め具端と重なり得る。伸張性ソフトボディの少なくとも一部は、補助者の胴体の背面方向に向けて乳幼児の胴体の背面を引き寄せる弾力性を生成するために伸縮するように構成される。
【００１５】
いくつかの実施形態によると、補助具または伸張性ソフトボディは長方形を有している。第１留め具端は半楕円形を有し得、第２留め具端は半楕円形を有し得る。伸張性ソフトボディの第１端部は、第１留め具端の長径に大きさが比例して一体的につながり、伸張性ソフトボディの第２端部は、第２留め具端の長径に大きさが比例して一体的につながる。
【００１６】
いくつかの実施形態によると、第２留め具機構は、乳幼児睡眠補助具を固定するために第２留め具端を第１留め具端に重ねたときに、各位置で乳幼児睡眠補助具にさまざまな周囲の長さを提供するように、複数の位置で第１留め具機構に調節可能に対になるように構成され得る。
【００１７】
いくつかの実施形態によると、第１留め具端および第２留め具端は、先が次第に細くなる。
【００１８】
いくつかの実施形態によると、第１留め具機構および第２留め具機構は、布製面ファスナーを備える。
【００１９】
いくつかの実施形態によると、第２留め具機構は、乳幼児睡眠補助具の長手方向の軸に平行な布製面ファスナーのループのストリップを１つまたは複数備え、第１留め具機構は、乳幼児睡眠補助具の長手方向の軸に垂直な布製面ファスナーのフックのストリップを１つまたは複数備える。
【００２０】
いくつかの実施形態によると、第２留め具機構は、乳幼児睡眠補助具の長手方向の軸に平行な布製面ファスナーのフックのストリップを１つまたは複数備え、第１留め具機構は、乳幼児睡眠補助具の長手方向の軸に垂直な布製面ファスナーのループのストリップを１つまたは複数備える。
【００２１】
いくつかの実施形態によると、補助具または伸張性ソフトボディは、伸縮性布を備える。伸縮性布は、４方向に伸縮する布であり得る。
【００２２】
いくつかの実施形態によると、補助具は周囲を縫い合わせた伸縮性布の第１片および第２片を有し、伸張性ソフトボディは表面と裏面を有し、第１留め具端は表面と裏面を有し、第２留め具端は表面と裏面を有し、伸縮性布の第１片は表面を提供し、伸縮性布の第２片は裏面を提供する。
【００２３】
いくつかの実施形態によると、補助具は表面と裏面を有し、第２留め具機構は表面上にあり、第１調整可能な留め具機構は裏面上にある。
【００２４】
いくつかの実施形態によると、補助具または伸張性ソフトボディは、補助者の胴体の背面を支えるためのクッションを備える。
【００２５】
いくつかの実施形態によると、第１調整可能な留め具機構および第２調整可能な留め具機構は、ボタンおよびボタン穴を備える。
【００２６】
いくつかの実施形態によると、第１調整可能な留め具機構および第２調整可能な留め具機構は、スナップボタンを備える。他の例では、ひも、バックル、トグルストラップ、クリップなどが含まれる。
【００２７】
いくつかの実施形態によると、第１調整可能な留め具機構および第２調整可能な留め具機構は、ホックおよびホック止めの穴を備える。
【００２８】
いくつかの実施形態によると、第１調整可能な留め具機構および第２調整可能な留め具機構は、弾性ループおよびタブを備える。
【００２９】
他の態様において、本明細書で記載する実施形態では、補助者の胴体の前面上において乳幼児を支えるための乳幼児補助具を提供し得る。補助具は、第１端部と第２端部を有する伸張性ソフトボディと、伸張性ソフトボディの第１端部に一体的につながれた第１留め具端と、第１留め具機構を有する第１留め具端と、および伸張性ソフトボディの第２端部に一体的につながれた第２留め具端と、第１留め具端の第１調整可能な留め具機構と調節可能に対をなすように構成された第２留め具機構を有する第２留め具端とを備える。使用するときには、乳幼児睡眠補助具は、補助者の胴体の背面にわたって、補助者の各腕の下、補助者の胴体の各側面にわたって、および乳幼児の胴体の背面にわたって伸びる。乳幼児睡眠補助具は、補助者の胴体の前面上において乳幼児を支えるために、第２留め具機構が第１留め具機構に付くように重なる。伸張性ソフトボディの少なくとも一部は、補助者の胴体の背面方向に向けて乳幼児の胴体の背面を引き寄せる弾力性を生成するために伸縮するように構成される。
【００３０】
いくつかの実施形態によると、乳幼児補助具は前面と背面を有し、第２留め具機構は前面上にあり、第１調整可能な機構は背面上にある。
【００３１】
本明細書に含まれる図面は、本明細書の物品、方法、および装置のさまざまな例を例示するためのものであり、どのような教示の範囲をも限定するものとは解釈されない。
【図面の簡単な説明】
【００３２】
【図１Ａ−１Ｂ】いくつかの実施形態における、布製面ファスナーのストリップ付きの乳幼児補助具の正面図である。
【図２Ａ−２Ｂ】いくつかの実施形態における、布製面ファスナーのストリップ付きの乳幼児補助具の背面図である。
【図３Ａ−３Ｂ】いくつかの実施形態における、乳幼児補助具の端を固定した場合の乳幼児補助具の透視図である。
【図４Ａ−４Ｂ】いくつかの実施形態における、乳幼児補助具の端を固定した場合の乳幼児補助具の上面図である。
【図５Ａ−５Ｂ】図１Ａおよび図１Ｂの乳幼児補助具の上面図である。
【図６Ａ−６Ｂ】図１Ａおよび図１Ｂの乳幼児補助具の底面図である。
【図７Ａ−７Ｂ】いくつかの実施形態における、乳幼児睡眠補助具の正面図である。
【図８Ａ−８Ｂ】いくつかの実施形態における、乳幼児補助具の背面図である。
【図８ＡＡ】いくつかの実施形態における、乳幼児睡眠補助具の端を固定した場合の乳幼児補助具の別の透視図である。
【図９Ａ−９Ｂ】いくつかの実施形態における、乳幼児補助具の正面図である。
【図１０Ａ−１０Ｂ】いくつかの実施形態における、乳幼児補助具の背面図である。
【図１１Ａ−１１Ｂ】いくつかの実施形態における、布製面ファスナーの部分が付いた乳幼児補助具の正面図である。
【図１２Ａ−１２Ｂ】いくつかの実施形態における、布製面ファスナーの部分が付いた乳幼児補助具の背面図である。
【図１３Ａ−１３Ｂ】いくつかの実施形態における、ボタン穴の列が付いた乳幼児補助具の正面図である。
【図１４Ａ−１４Ｂ】いくつかの実施形態における、ボタンの列が付いた乳幼児補助具の背面図である。
【図１５Ａ−１５Ｂ】いくつかの実施形態における、ホック止めの穴の列が付いた乳幼児補助具の正面図である。
【図１６Ａ−１６Ｂ】いくつかの実施形態における、ホックの列が付いた乳幼児補助具の背面図である。
【図１７Ａ−１７Ｂ】いくつかの実施形態における、スナップボタンの列が付いた乳幼児補助具の正面図である。
【図１８Ａ−１８Ｂ】いくつかの実施形態における、対になるスナップボタンの列が付いた乳幼児補助具の背面図である。
【図１９Ａ−１９Ｂ】いくつかの実施形態における、乳幼児補助具の正面図である。
【図２０Ａ−２０Ｂ】いくつかの実施形態における、乳幼児補助具の背面図である。
【図２１Ａ−２１Ｂ】いくつかの実施形態における、タブの列が付いた乳幼児補助具の正面図である。
【図２２Ａ−２２Ｂ】いくつかの実施形態における、ループの列が付いた乳幼児補助具の背面図である。
【図２３】いくつかの実施形態における、乳幼児睡眠補助具の使用を例示す乳幼児補助具のための環境図である。
【図２４】いくつかの実施形態における、乳幼児睡眠補助具の使用を例示す乳幼児補助具の環境図である。
【図２５】いくつかの実施形態における、留め具の端を乳幼児睡眠補助具に固定するために重ねたときの乳幼児補助具の上面図である。
【図２６】いくつかの実施形態における、留め具の端を固定する経過を示した乳幼児補補助具の上面図である。
【図２７】いくつかの実施形態における、乳幼児補助具のさまざまな形状を示した図である。
【図２８】いくつかの実施形態における、乳幼児補助具の布が４方向に伸縮性があることを矢印で示した図である。
【発明を実施するための形態】
【００３３】
本明細書で記載する実施形態では、補助者の胴体の前面において、乳児または幼児を固定させるための乳幼児補助具を提供し得る。乳幼児補助具は、静止位置での支えを乳幼児に提供するように構成され得る。乳幼児補助具は、静止位置で幼児を保持するための着用可能な布製の補助具として構成され得る。乳幼児補助具は、静止位置で幼児を保持するためのハンズフリーな肌と肌を直に合わせる補助システムを提供し得る。
【００３４】
乳児または幼児は、人の心音、体温、人との接触、人にあやされることによって落ち着くため、人の胸部や胴体の前面で眠ることを心地よく感じているだろう。本明細書で記載する実施形態による乳幼児補助具は、乳幼児を補助者に寄り添わせて支えながら固定し得るため、補助者が寝入ったり、タブレット端末の操作に気を取られたりなどで補助者が綿密な注意を払えない場合に、乳幼児が補助者の胸部から転がったり落ちたりして傷を負うことを防ぎ得る。乳幼児補助具は、落下やアクシデントを防ぐのを助け、補助者は、乳幼児が自身の胴体の前部で固定されていると知ることでリラックスし得る。乳幼児補助具は、乳幼児をハンズフリーで支えながら保持したまま、補助者が本を読んだり、コンピュータやスマートフォンを使用したりするなど他のさまざまな活動を行うことを可能にし得る。乳幼児補助具は、本明細書では乳幼児睡眠補助具のことを指し得る。
【００３５】
乳幼児睡眠補助具１０は、乳幼児と補助者の間に布の層を設けないことで、乳幼児と補助者の直接の触れ合いを可能にし得る。この直接の触れ合いは、肌と肌を合わせ、授乳をしやすくし得る。
【００３６】
乳幼児補助具は、補助者の胴体の背面方向に向けて乳幼児の胴体の背面を引き寄せる弾力性を生成するために伸縮するように構成され得る。弾力性または伸縮性は、例えば、縦方向や横方向であり得る。その力は、乳幼児が補助者に寄り添い、確実に支えるように働く。弾力性により、乳幼児補助具の全体の高さ（または高さの実質的な部分）を長く分散させ得る。
【００３７】
本明細書で記載する実施形態によると、乳幼児補助具は、弾力性を生成し、さまざまな位置やサイズで調整可能に固定するように構成され得る。弾力性と調整可能な留め具機構の使用は、乳幼児と補助者を確実にぴったりと寄り添わせるという相乗的な結果を提供し得る。
【００３８】
図１Ａ、図１Ｂ、図２Ａおよび図２Ｂは、補助者の胴体の前面で乳幼児を支えるための乳幼児睡眠補助具１０の正面図および背面図である。図１Ａ（およびその他の図）の切れ線は、さまざまな大きさの人と乳幼児に適合するようにさなざまな長さで製造し得るものとして、乳幼児睡眠補助具１０の長さが不定であることを示している。乳幼児睡眠補所具１０は、伸張性ソフトボディ１２と第１端部１４と第２端部１６を備え得る。乳幼児睡眠補助具１０の高さは、人の胴体の平均的な長さ、乳幼児の平均的な身長などに比例し得る。乳幼児睡眠補助具１０は、柔らかい布料で作られ得、伸張性ホフトボディ１２は、図に示されるように、長手方向に配向され得る。使用するときには、伸張性ソフトボディ１２は、補助者の胴体の背面にわたってまたは巻き付くように伸び、第１端部１４は、補助者の肩の下に伸びて胴体の側面にわたり、第２端部１６は、補助者の他方の肩の下に伸びて他方の胴体の側面にわたる。すなわち、伸張性ソフトボディ１２は、補助者の胴体の背面と腕やわきの下を包み込む。
【００３９】
乳幼児睡眠補助具１０の使用を例示するため、いくつかの実施形態における、乳幼児睡眠補助具の使用環境を示す図２３および図２４を参照する。乳幼児睡眠補助具１０は、乳幼児を補助者の胸部や胴体の前面で支えるため、補助者の胴周りと腕の下、および乳幼児の背面にわたって包んで固定する。図２３は、例えば補助者がベッドやソファーで横たわった場合、図２４は、例えば、補助者が椅子やソファーに座っている場合を示している。
【００４０】
乳幼児睡眠補助具１０は、補助者が、乳幼児が補助者の胸部や胴体の前面から転がったり落ちたりしないか心配することなく休息しリラックスできるよう、乳幼児を補助者に固定させ支えるように丈夫であり得る。例えば、新生児が母親の胸部で眠っている場合、母親は新生児の誕生以来疲れ切っているにもかかわらず、母親自身が寝入ってしまったら、新生児が床に転がったり落ちたりしてしまわないか心配でリラックスすることができないかもしれない。乳幼児睡眠補助具１０を使用することで、母親は乳幼児が彼女の胴体の前面に安全に固定されていると知り、休息を取ることができる。
【００４１】
乳幼児睡眠補助具１０は、補助者に向けて乳幼児を引き寄せる力を生成するために弾力性または伸縮性のある素材を含み得る。これにより、乳幼児睡眠補助具１０は、補助者が乳幼児を確実に支えさせることができ得る。乳幼児睡眠補助具１０の全体は、伸縮性布で作られ得、乳幼児睡眠補助具１０の一部は、補助者に向けて乳幼児を引き寄せる弾力性を生成するために伸縮性布で作られ得る。
【００４２】
乳幼児睡眠補助具１０は、乳幼児睡眠補助具１０の高さの全体（もしくは主要な部分）にわたって弾力性を分配する構造になり得る。乳幼児睡眠補助具１０の高さにわたる分配は、弾力性が補助者や乳幼児を集中した領域やわずかな部分で引っ張らないように、補助者と乳幼児の胴体の後方に沿って引張力を順々に分配し得る。
【００４３】
弾力性は、乳幼児睡眠補助具１０の端部が固定されたとき、補助者に向かって乳幼児を引き寄せるため、乳幼児睡眠補助具１０の高さに対してる垂直であり得る（図３Ａおよび図３Ｂ参照）。弾力性は、縦方向に引き寄せ得る。図２３には、補助者に向かって乳幼児を引き寄せる乳幼児睡眠補助具の弾力性のある布の縦方向への力を描いた矢印がある。
【００４４】
本明細書で記載する実施形態によると、乳幼児睡眠補助具１０は、寄り添った確実な支えを提供するために、補助者に向けて乳幼児を引き寄せる弾力性を生成するように構成され得る。例えば、乳幼児睡眠補助具１０（もしくはその一部）は、乳幼児を補助者に固定させるためのさまざまな方向の弾力性を提供するために、４方向への伸縮性布で作られ得る。他の例では、乳幼児睡眠補助具１０（もしくはその一部）は、２方向への伸縮性布で作られ得る。
【００４５】
２方向への伸縮性布は、横方向、縦方向、水平方向、垂直方向など、２つの正反対の方向もしくは方面に伸縮する。弾力性により、同じ線または面に沿って反対方向に伸縮する。４方向への伸縮性布は、横方向と縦方向、もしくは、水平方向と垂直方向など、４方向に伸縮する。伸縮性の線もしくは面は、例えば、織り目など、弾力性の素材を織る方向に依存するだろう。４方向への伸縮性は、一般的に、２つの交差する線もしくは面に沿って、４方向への伸縮性を有する。この方向は、布の織り方により、横方向と縦方向、もしくは、水平方向と垂直方向などのように直交し得る。図２８には、直交する２つの方向または直交しない２つの方向に伸縮する、４方向（例えば、横方向、縦方向、水平方向、垂直方向）への伸縮性を示す矢印が描かれている。弾力性のある素材は、心地よい弾力性を提供しつつ、乳幼児睡眠補助具１０を乳幼児と補助者をぴったりと寄り添わせる大きさに適合させることができる。
【００４６】
乳幼児睡眠補助具１０（もしくはその一部）は、乳幼児を補助者にもたれかけて支えるための横方向と縦方向の両方の弾力性を生成し得る、４方向への伸縮性布から作られる。乳幼児睡眠補助具１０は、乳幼児を補助者に対して支えるための横方向と縦方向いずれかの弾力性を生成する、２方向への伸縮性布から作られる。伸縮性布で作られていない乳幼児睡眠補助具１０は、乳幼児を補助者に対して固定させるための弾力性を生成し得ない。弾力性のない素材では、弾力性のある布のように確実に寄り添うように乳幼児にぴったりと適合し得ない。弾力性のない素材は、きつすぎて心地よさに欠けるか、または緩すぎてて確実な支えを提供することができない。
【００４７】
さらに、乳幼児睡眠補助具１０は、乳幼児を包み、心地よい力で乳幼児を補助者にもたれかける横方向および縦方向に広がる弾力性を有し得る、伸縮自在の４方向伸縮性布で作られている。すなわち、弾力性の面は、乳幼児睡眠補助具１０の高さと幅の全体に及び得る。対照的に、弾力性のない布の薄いストリップで乳幼児と補助者の周りを縛ると、乳幼児の背中のごく一部分に集中して力が加わり、不快感を生じ得る。さらに、弾力性のない素材では乳幼児を確実に固定するように適合できない。弾力性のない素材では、きつすぎて心地よさに欠けるか、緩すぎて確実な支えを提供することができない。
【００４８】
したがって、乳幼児睡眠補助具１０、または、乳幼児睡眠補助具１０の主要部分（例えば、伸張性ソフトボディ１２）は、乳幼児を包み、補助者の上に乳幼児を確実に寄り添わせて支える弾力性もしくは伸縮性のある素材で作られ得る。乳幼児睡眠補助具１０の布は、吸水性や通気性などを有し得る。
【００４９】
弾力性もしくは伸縮性のある素材を使用することにより、乳幼児睡眠補助具１０は、弾力性を生成し、変形、伸縮などの後に元の形に戻る傾向のある素材を有する構成になり得る。乳幼児睡眠補助具１０は、乳幼児と補助者の周りに乳幼児睡眠補助具１０が伸縮し固定されたときなど、外部の力が加わったときに変形し得る。乳幼児睡眠補助具１０に使用される素材に弾力性がある場合、乳幼児睡眠補助具１０の弾力性は、乳幼児が補助者の上で確実に寄り添って支えられるよう、元の形および大きさに戻ろうとし得る。乳幼児睡眠補助具１０は、外部の力から解放されたとき、元の形および大きさに戻ろうとするだろう（例えば、乳幼児と補助者包んで固定しなくてもよくなった場合）。
【００５０】
図１Ａおよび図２Ｂの参照に戻ると、乳幼児睡眠補助具１０はさらに、伸張性ソフトボディ１２の第１端部１４に一体的につなげられた第１留め具端１８を含む。第１留め具端１８は、第１調整可能な留め具機構２２を有し得る。使用するときには、第１留め具端１８を乳幼児の胴体の背面にわたるように伸ばす。第１の留め具端１８の一端は乳幼児の胴体の背面に接触させ得、第１留め具端１８の他端は第１調整可能な留め具機構２２にあて得る。乳幼児睡眠補助具１０はさらに、伸張性ソフトボディ１２の第２端部１６に一体的につながる第２留め具端２０を含む。第２留め具端２０は、第１留め具端１８の第１調整可能な留め具機構２２と対になるように構成される第２調整可能な留め具機構２４を有し得る。使用するときには、乳幼児を補助者の胴体の前面で支えるため、第２留め具端２０を第１留め具端１８に重ね、第２留め具端２０を第１留め具端１８に固定する。第２調整可能な留め具機構２４は、重ねたとき、あてられた第１調整可能な留め具機構２２に接触しているように、第２留め具端の一方の表面にあり得る。いくつかの実施形態によると、補助者の胴体の背面に比べ小さい乳幼児にも適応するように第１留め具端１８および第２留め具端２０の先端は次第に細くなり得、これにより、乳幼児睡眠補助具１０で固定されたときに、小さな乳幼児が乳幼児睡眠補助具１０により窒息してしまうことを防止し得る。
【００５１】
調整可能な留め具機構２２および伸縮性布は、さまざまな大きさの乳幼児や人に適応し、乳幼児と補助者の周り確実にぴったりと寄り添わせる乳幼児睡眠補助具１０を構成し得る。そのため、弾力性と調整可能な留め具機構は連動することで、さまざまな大きさの乳幼児や人、サイズの変動に適応し、乳幼児と補助者確実にぴったりと寄り添わせ得る。
【００５２】
図３Ａおよび図３Ｂを参照すると、いくつかの実施形態における、第１調整可能な留め具機構２２および第２調整可能な留め具機構２４を通して、乳幼児睡眠補助具１０の第１留め具端１８および第２留め具端２０を固定した場合の乳幼児睡眠補助具１０の透視図を示している。示されているように、乳幼児を補助者の胴体に固定するため、第２留め具端２０は第１留め具端１８に重ねられている。これは一例であり、乳幼児睡眠補助具１０を固定するために他の留め具機構を使用してもよい。
【００５３】
図４Ａおよび図４Ｂは、乳幼児睡眠補助具１０の第１留め具端１８および第２留め具端２０を固定した場合の乳幼児睡眠補助具１０の上面図を示している。図２６は、いくつかの実施形態による、第１留め具端１８が乳幼児の胴体の背面を包む過程を乳幼児睡眠補助具１０の上面から見て示している。図２５は、乳幼児睡眠補助具１０を固定するために、第２留め具端２０を第１留め具端１８に重ねた場合の乳幼児睡眠補助具１０の上面図である。乳幼児睡眠補助具１０は、力を広い表面領域にわたって分配するために、補助者の胴体の長さと乳幼児の身長に比例する高さを有し得る。例えば、乳幼児睡眠補助具１０は、弾力性を広い表面領域（乳幼児睡眠補助具１０もしくはその主要な部分の高さ）にわたって分配するように構成され得る。力を大人と乳幼児の胴体の背面にわたって分配しつつ、補助者の胴体に比べ小さな乳幼児に適応するように、乳幼児睡眠補助具１０は高さを減少させた部分を有し得る。
【００５４】
図１Ａ、図１Ｂ、図２Ａおよび図２Ｂの参照に戻ると、第１調整可能な留め具機構２２および第２調整可能な留め具機構２４は、図に示した例に限られず、ベルクロ（登録商標）などの布製面ファスナーで作られ得る。他の留め具機構を用いてもよい。第２調整可能な留め具機構２４では、面ファスナーのループのストリップが乳幼児睡眠補助具１０の長手方向の軸に平行に並べて作られ得る。第１調整可能な留め具機構２２では、面ファスナーのフックのストリップが乳幼児睡眠補助具１０の長手方向の軸に垂直に並べて作られ得る。
【００５５】
いくつかの実施形態においては、第２調整可能な留め具機構２４は第１調整可能な留め具機構２２に対になるように、第２調整可能な留め具機構２４は布製面ファスナーのフックのストリップで作られ得、第１調整可能な留め具機構２２は布製面ファスナーのループのストリップで作られ得る。他の布製留め具機構または他の留め具機構もまた、第１留め具端１８を第２留め具端２０に固定するために使われ得る。図１Ａおよび図２Ａでは、第２調整可能な留め具機構２４は布製ファスナーに３つのストリップが含まれていると示されており、第１調整可能留め具機構２２は布製ファスナーに２つのストリップが含まれていると示されているが、これより多いもしくは少ない数のストリップが用いられてもよい。例えば、図１Ｂおよび図２Ｂでは、第１調整可能な留め具機構２２は布製ファスナーに１つのストリップが含まれていることが示されている。さらに、ストリップの数および方向は例に示したものに限定されず、他の構成でもよく、レイアウトや形状も、楕円、角の丸い長方形、波型、円形のドット、固体パネル型、あて布、円、メッセンジャースタイル、斜めの線、十字形などが使用されてもよい。
【００５６】
第１調整可能な留め具機構２２および第２調整可能な留め具機構２４は、力を、乳幼児睡眠補助具１０の第１端から第２端に、乳幼児睡眠補助具１０の高さにわたって分配させるよう構成され得る。第１留め具端１８は、布で覆われていないと第２留め具端２０のちくちくする留め具機構が乳幼児に触れ得る場合に、乳幼児を保護する布の部分を有し得る。
【００５７】
図示したように、伸張性ソフトボディ１０は長方形の形を有して得、第１留め具端１８は半楕円形の形を有し得、第２留め具端２０は半楕円形の形を有し得るが、これらの例に限定されない。伸張性ソフトボディ１２の第１端部１４は、第１留め具端１８の長軸３０の高さに比例したサイズで、一体的につながり得る。伸張性ソフトボディ１０の第２端部１６は、第２留め具端２０の長軸３２の高さに比例したサイズで、一体的につながり得る。これは一例にすぎず、伸張性ソフトボディ１０、第１留め具端１８、第２留め具端２０は、さまざまな形の構成を有して得る（図２７参照）。
【００５８】
図５Ａ、図５Ｂ、図６Ａおよび図６Ｂを参照すると、第１調整可能な留め具機構２２および第２調整可能な留め具機構２４を含む図１Ａおよび図１Ｂの乳幼児睡眠補助具１０を上面図および底面図を示している。いくつかの実施形態によると、乳幼児睡眠補助具１０は、２片の伸縮性布２６および２８の周囲を縫い合わせて作られ得る。伸張性ソフトボディ１２は表面と裏面を有し得、第１留め具端１８は表面と裏面を有し得、第２留め具端２０は表面と裏面を有し得る。伸張性ソフトボディ１２、第１留め具端１８、第２留め具端２０の表面は同じ向きであり得（すなわち、同じ方向を向いている）、伸張性ソフトボディ１２、第１留め具端１８、第２留め具端２０の裏面もまた同じ向きであり得る（すなわち、同じ方向を向いている）。伸縮性布２６の第１片は表面を提供し得、伸縮性布２８の第２片は裏面を提供し得る。これは、一体的につながる伸張性ソフトボディ１２、第１留め具端１８、第２留め具端２０の一例である。他の実施形態では、片同士が互いに縫い合わされた他の構成になり得る。この例では、第２留め具端２０の表面は第２調整可能な留め具機構２４を有し得、第１留め具端１８の裏面は第１調整可能な留め具機構２２を有し得る。乳幼児睡眠補助具１０が補助者の胴体と乳幼児の周りを包むとき、第１調整可能な留め具機構２２および第２調整可能な留め具機構２４は互いに面し、対をなして重なり、乳幼児睡眠補助具１０を固定する。
【００５９】
図１Ａ、図１Ｂ、図２Ａおよび図２Ａに示される乳幼児睡眠補助具１０の形は一例であり、乳幼児睡眠補助具１０は他の形の構成も有し得る。図７Ａ、図７Ｂ、図８Ａおよび図８Ｂを参照すると、いくつかの実施形態において、乳幼児睡眠補助具１０を正面図および背面図を示している。点描線で描かれた乳幼児睡眠補助具１０の第１留め具端１８および第２留め具端２０は、（半楕円形で示された例以外の）異なる形を有し得る。例えば、図１９Ａ、図１９Ｂ、図２０Ａおよび図２０Ｂは、いくつかの実施形態による乳幼児睡眠補助具１０を正面図および背面図を示しており、第１留め具端１８、第２留め具端２０は、丸みを帯びた正方形や長方形の形を有している。図２７は、いくつかの実施形態における、乳幼児睡眠補助具１０の他の形の構成例を示している。
【００６０】
本明細書に記載される実施形態によると、第２調整可能な留め具機構２４は、複数の位置の中で、第１調整可能な留め具機構２２と対をなすように構成される。それぞれの位置は、第２留め具端２０を第１留め具端１８に固定するために第２留め具端２０を第１留め具端１８に重ねたとき、乳幼児睡眠補助具１０に異なる周囲を提供し得る。これにより乳幼児睡眠補助具１０がさまざまな大きさの人や乳幼児に適応することが可能となり得る。図３Ａおよび図３Ｂは、第１留め具端１８と第２留め具端２０が固定された場合の、乳幼児睡眠補助具１０の楕円形の周囲の例を示している。図１Ａ、図１Ｂ、図２Ａおよび図２Ｂに示された実施形態の例においては、第２調整可能な留め具機構２４は、布製面ファスナーのループのストリップを乳幼児補助具１０の長手方向の軸に平行に並べて作られ得、第１調整可能な留め具機構２２は、面ファスナーのフックのストリップを乳幼児補助具１０の長手方向の軸に垂直に並べて作られ得る。したがって、第２調整可能な留め具機構２４は、第１調整可能な留め具機構２２を取り付けることができるさまざまな縦の位置を提供している。これにより、さまざまな大きさの人や乳幼児に適合し、乳幼児睡眠補助具１０に固定され確実にぴったりと寄り添えるよう、さまざまな片の数の第２調整可能な留め具機構２４を第１調整可能な留め具機構２２に固定することができる。伸縮性布のさまざまな取り付け位置の組み合わせにより、乳幼児と人の大きさにぴったり寄り添わせ得る。それぞれの位置は、乳幼児睡眠補助具１０を固定した時に異なる周囲の長さになるだろう。したがって、乳幼児と補助者の大きさが変わっても、第２調整可能な留め具機構２４をストリップの位置に沿って第１調整可能な留め具機構２２に取り付けた位置に応じて固定した場合の周囲の長さを変えることで乳幼児睡眠補助具１０を適応させることができる。第２調整可能な留め具機構２４は、乳幼児睡眠補助具１０を固定したときに周囲を変化させるためにさまざまな異なり得る位置を提供するために、乳幼児睡眠補助具１０の長手方向の軸に平行に構成されたストリップを有し得る。例えば、第２調整可能な留め具機構２４が、伸張性ソフトボディ１２と接触している第２留め具端２０に近い位置で第１調整可能な留め具機構２２に固定される場合は、乳幼児補助具１０の周囲は、第２調整可能な留め具機構２４が、第２留め具端２０の他端部に近い位置（例えば、この例の半楕円形の端部）で第１調整可能な留め具機構２２に固定された場合よりも短くなり得る。さらに、複数のストリップを備えることにより、さまざまな取付け位置でぴったりした固定を提供し得る。
【００６１】
第１調整可能な留め具機構２２および第２調整可能な留め具機構２４は、乳幼児睡眠補助具１０を固定させるためにさまざまな形の布製面ファスナーを用いてで作られ得る。図９Ａ、図９Ｂ、図１０Ａおよび図１０Ｂは、いくつかの実施形態における、乳幼児睡眠補助具１０の正面図および背面図を示している。第１調整可能な留め具機構２２および第２調整可能な留め具機構２４の布製面ファスナーを示した点描線は、さまざまな形を有し得、ストリップに限定されない。異なる数のストリップ、幅、長さを有し得る。
【００６２】
図１１Ａ、図１１Ｂ、図１２Ａおよび図１２Ｂは、いくつかの実施形態における乳幼児睡眠補助具１０の正面図および背面図を示している。第１調整可能な留め具機構２２および第２調整可能な留め具機構２４は、第１留め具端１８および第２留め具端２０の形と一致するよう、半楕円形の布製面ファスナーを用いて作られ得る。第１調整可能な留め具機構２２および第２調整可能な留め具機構２４、第１留め具端１８および第２留め具端２０には共に他の形を用いられ得る。
【００６３】
第１調整可能な留め具機構２２および第２調整可能な留め具機構２４は、乳幼児睡眠補助具１０を固定させるためにさまざまな留め具を用いて作られ得る。図９Ａ、図９Ｂ、図１０Ａおよび図１０Ｂに示される点描線は、異なるタイプの留め具が第１調整可能な留め具機構２２および第２調整可能な留め具機構２４に用いられ得ることを示している。例えば、ボタンとボタン穴用いて第１調整可能な留め具機構２２および第２調整可能な留め具機構２４が作られ得る。図１３Ａおよび図１３Ｂは、いくつかの実施形態において、第２調整可能な留め具機構２４にボタン穴の列が付けられた乳幼児睡眠補助具１０の正面図である。図１４Ａおよび図１４Ｂは、いくつかの実施形態において、第１調整可能な留め具機構２２にボタンの列が付けられた乳幼児睡眠補助具１０の背面図である。他の実施形態において、第２調整可能な留め具機構２４にボタンが用いられ得、第１調整可能な留め具機構２２にボタン穴が用いられ得る。さらに、ボタンやボタン穴の他の構成やレイアウトも用いられ得、列は一例に過ぎない。
【００６４】
他の例において、ホックとホック止めの穴を用いて第１調整可能な留め具機構２２および第２調整可能な留め具機構２４が作られ得る。図１５Ａおよび図１５Ｂは、いくつかの実施形態において、第２調整可能な留め具機構２４にホック止めの穴の列が付けられた乳幼児睡眠補助具１０の正面図である。図１６Ａおよび図１６Ｂは、いくつかの実施形態において、第１調整可能な留め具機構２２にホックの列が付けられた乳幼児睡眠補助具１０の背面図である。他の実施形態においては、第２調整可能な留め具機構２４にホックが用いられ得、第１調整可能な留め具機構２２にホック止めの穴が用いられ得る。さらに、ホックおよびホック止め穴の他の構成、形やレイアウトを用いられ得、示された形／型および配列は例に過ぎない。
【００６５】
さらなる例として、スナップボタンを用いて第１調整可能な留め具機構２２および第２調整可能な留め具機構２４が作られ得る。図１７Ａおよび図１７Ｂは、いくつかの実施形態において、第２調整可能な留め具機構２４にスナップボタンの半分（すなわち、スナップボタンの片方）の列が付けられた乳幼児睡眠補助具１０の正面図である。図１８Ａおよび図１８Ｂは、いくつかの実施形態において、第１調整可能な留め具機構２２にスナップボタンの半分（すなわち、スナップボタンの他方）の列が付けられた乳幼児睡眠補助具１０の背面図である。スナップの他の構成、形やおよびレイアウトが用いてられ得、示された形／型および配列は例に過ぎない。
【００６６】
他の例において、弾性ループおよびタブを用いて第１調整可能な留め具機構２２および第２調整可能な留め具機構２４が作られ得る。図２１Ａおよび図２１Ｂは、いくつかの実施形態において、第２調整可能な留め具機構２４にタブの列が付いた乳幼児睡眠補助具１０の正面図である。図２２Ａおよび図２２Ｂは、いくつかの実施形態において、第１調整可能な留め具機構２２に弾性ループの列が付けられた乳幼児睡眠補助具１０の背面図である。他の実施形態においては、第２調整可能な留め具機構２４に弾性ループが用いられ得、第１調整可能な留め具機構２２にタブが用いられ得る。弾性ループおよびタブの他の構成、形およびレイアウトが用いられ得、示された形／型および配列は例に過ぎない。他の例において、留め具は、ひも、バックル、トグルストラップ、クリップが含まれる。
【００６７】
いくつかの実施形態によると、乳幼児睡眠補助具１０の伸張性ソフトボディ１２は、大人が椅子に座っている間に大人の胴体の背面部分の緩衝材となるクッション材を含み得る。クッション材は、補助者の胴体を支えるための整形外科用クッションである。さらに、乳幼児睡眠補助具１０は、アームレスト、ポケット、温熱パッド、種々の裏地（例えばフリース）、充電式モジュール、および、他の特徴や構成も含み得る。乳幼児睡眠補助具１０の特徴の他の例では、屋外で使用する気候別（例えば、晴れ、雨、風）シールドまたはフード、乳幼児用の足の保温カバー、補助者のためのハンドマフ、おしゃぶり留めや備え付けおしゃぶり、ボトル入れ、および、デジタル音楽ファイル（例えば、ＭＰ３）再生機器スロット、アダプターやサウンドコネクターシステムを含む。
【００６８】
乳幼児睡眠補助具１０は、２方向や４方向への伸縮性布など、伸縮性布で作られ得る。伸縮する布を用いることで、乳幼児睡眠補助具を伸縮させて、心地よい確実な方法で乳幼児を補助者の胴体に固定することができる。軽量の伸縮性布だと、さまざまな気候や気温でも通気性があり心地よくなり得る。伸縮性布は、手入れのしやすいウォッシャブルであり得る。伸縮性布の確実に寄り添える方法で抱かれてあやされることにより、乳幼児にさらなる心地よさが提供され得る。支えとなる伸縮性布は、補助者の子宮や腹部を締めることを出産後に推奨され得る腹帯としても提供し得る。
【００６９】
乳幼児睡眠補助具１０は、乳幼児と補助者の間に布の層を挟まないため、乳幼児と補助者が直に触れ合うことが可能になり得る。直に触れ合うことで、肌と肌がしっかりと固定され授乳がしやすくなり得る。補助者は、肌に触れさせるため、肌を露出させたり開襟シャツを着たりし得る。補助者は、乳幼児を自身の胸の上に直接横たわらせ、後ろにわずかに傾かせ得る。乳幼児睡眠補助具１０は補助者の胴体の背面の周囲に位置し、乳幼児をぐるりと包んで、所望の位置で固定し得る。そうして、補助者と乳幼児の間に布の層や他の素材を挟むことなく、乳幼児の肌が補助者の肌と触れ合うことができる。
【００７０】
さらに、第１調整可能な留め具機構２２および第２調整可能な留め具機構２４により、補助者が乳幼児睡眠補助具１０を容易に取り外しができ、このことは、眠っている乳幼児をベビーベッドや他の乳幼児のための睡眠装置に運ぶのに役立ち得る。さらに、乳幼児睡眠補助具１０は補助者の胴体周りと腕の下に位置し得ることで、補助者はハンズフリーになることが可能である。これにより、第１留め具端１８と第２留め具端２０を外すために乳幼児の背中の後ろに手を届かせることができ、乳幼児睡眠補助具１０の取り外しが容易になり得る。さらに、第１留め具端１８と第２留め具端２０を外すために乳幼児の背中の後ろに手が届くことで、乳幼児睡眠補助具１０を固定させる周囲の長さ調整や、調整可能な第１調整留め具機構２２および第２調整留め具機構２４の位置の変更を人がしやすくなる。さらに、乳幼児睡眠補助具１０のぴったりと固定させることで、補助者は、自身の胴体を動かして乳幼児をあやして寝かしつけることができる。
【００７１】
たくさんの数のパーツを使用する複雑なデザインでは、製造コストがより高くなり得るが、いくつかの実施形態によると、図１Ａ〜図６Ｂに示された例のように、乳幼児睡眠補助具は、製造において費用効果のあり得る周囲を縫い合わせた大きい布の片を使用して構成され得る。さらに、布製面ファスナーのストリップを使用することで、第１および第２の留め具機構に心地よさと伸縮自在さを提供し得る。これらのストリップは、伸張性ソフトボディ１２や第１留め具端１８、第２留め具端２０などを作る大きい片に縫い付けられ得、これにより、乳幼児睡眠補助具１０全体の製造に使用され得る同様の技術（例えば、縫合）のように、製造面での費用効果があり得る。乳幼児睡眠補助具１０は、さまざまな温度や個人の趣味に適応するために、種々のタイプの布で作られ得る。
【００７２】
多数の特徴の詳細は、本明細書に記載された例示的な実施形態を十分に理解するために提供されていることを理解されたい。しかし、本明細書に記載された実施形態は、これらの特定の詳細なしに実施できることが当業者によって理解されるであろう。他の例において、よく知られた方法、手順、構成要素は、本明細書に記載された実施形態の説明が曖昧なものにならないよう、詳細には記載されていない。さらに、この説明は、いかなる形でも本明細書に記載された実施形態の範囲を限定するものとみなされるべきではなく、むしろ、単に本明細書に記載された様々な実施形態の実施を説明したにすぎない。
【図１Ａ】
2016507014.tif 000003
【図１Ｂ】
2016507014.tif 000004
【図２Ａ】
2016507014.tif 000005
【図２Ｂ】
2016507014.tif 000006
【図３Ａ】
2016507014.tif 000007
【図３Ｂ】
2016507014.tif 000008
【図４Ａ】
2016507014.tif 000009
【図４Ｂ】
2016507014.tif 000010
【図５Ａ】
2016507014.tif 000011
【図５Ｂ】
2016507014.tif 000012
【図６Ａ】
2016507014.tif 000013
【図６Ｂ】
2016507014.tif 000014
【図７Ａ】
2016507014.tif 000015
【図７Ｂ】
2016507014.tif 000016
【図８Ａ】
2016507014.tif 000017
【図８Ｂ】
2016507014.tif 000018
【図８ＡＡ】
2016507014.tif 000019
【図９Ａ】
2016507014.tif 000020
【図９Ｂ】
2016507014.tif 000021
【図１０Ａ】
2016507014.tif 000022
【図１０Ｂ】
2016507014.tif 000023
【図１１Ａ】
2016507014.tif 000024
【図１１Ｂ】
2016507014.tif 000025
【図１２Ａ】
2016507014.tif 000026
【図１２Ｂ】
2016507014.tif 000027
【図１３Ａ】
2016507014.tif 000028
【図１３Ｂ】
2016507014.tif 000029
【図１４Ａ】
2016507014.tif 000030
【図１４Ｂ】
2016507014.tif 000031
【図１５Ａ】
2016507014.tif 000032
【図１５Ｂ】
2016507014.tif 000033
【図１６Ａ】
2016507014.tif 000034
【図１６Ｂ】
2016507014.tif 000035
【図１７Ａ】
2016507014.tif 000036
【図１７Ｂ】
2016507014.tif 000037
【図１８Ａ】
2016507014.tif 000038
【図１８Ｂ】
2016507014.tif 000039
【図１９Ａ】
2016507014.tif 000040
【図１９Ｂ】
2016507014.tif 000041
【図２０Ａ】
2016507014.tif 000042
【図２０Ｂ】
2016507014.tif 000043
【図２１Ａ】
2016507014.tif 000044
【図２１Ｂ】
2016507014.tif 000045
【図２２Ａ】
2016507014.tif 000046
【図２２Ｂ】
2016507014.tif 000047
【図２３】
2016507014.tif 000048
【図２４】
2016507014.tif 000049
【図２５】
2016507014.tif 000050
【図２６】
2016507014.tif 000051
【図２７】
2016507014.tif 000052
【図２８】
2016507014.tif 000053
【国際調査報告】
2016507014.tif 000054
2016507014.tif 000055